(57)【要約】【課題】  歩行者や、自転車、自動車等の走行に邪魔することがない上に危険度も少なく、小型軽量にして使い勝手が良く、しかも製造コストも安価なのぼり旗竿の支持具を提供することを目的とする。【解決手段】  建築物等の取付面ａに対して固定可能な受け部材１を備えたのぼり旗竿Ｂの支持具Ａであって、受け部材１先端に、のぼり旗竿が上下動自在に挿通し且つ正面に当該竿の出し入れ用の開口４を有する挿通孔５を形成し、該挿通孔５の内壁下端にのぼり旗竿の伸縮調整固定部材１１用の係止突起６を横設すると共に、挿通孔５の開口４両端に当該竿の抜け防止用の係止突起７をそれぞれ縦設してなるホルダー部３を設けて構成したものである。【選択図】          図３
2005241684.tif 000002
【特許請求の範囲】
【請求項１】
建築物等の取付面に対して固定可能な受け部材を備えたのぼり旗竿の支持具であって、受け部材先端に、のぼり旗竿が上下動自在に挿通し且つ正面に当該竿の出し入れ用の開口を有する挿通孔を形成し、該挿通孔の内壁下端にのぼり旗竿の伸縮調整固定部材用の係止突起を横設すると共に、挿通孔の開口両端に当該竿の抜け防止用の係止突起をそれぞれ縦設してなるホルダー部を設けたことを特徴とするのぼり旗竿の支持具。
【請求項２】
受け部材先端の挿通孔を平面略Ｕ字形状に形成し、一方、のぼり旗竿の断面形状を前記平面状に対応するよう円筒両側にフラット部を形成することによってのぼり旗竿の廻り防止機構を設けてなることを特徴とする請求項１記載ののぼり旗竿の支持具。
【請求項３】
受け部材の基端に真空式吸着部材を設け、該受け部材を建築物等の取付面に吸着、固定可能に構成したことを特徴とする請求項１または請求項２に記載ののぼり旗竿の支持具。
【発明の詳細な説明】
【技術分野】
【０００１】
本発明は、のぼり旗竿の支持具に関する。
【背景技術】
【０００２】
従来、街頭における商品の広告、宣伝のための広告宣伝媒体としてのぼり籏が使用されることが多い。こののぼり籏は通行人等の視覚に訴えるところから、できるだけ大型のものが望まれている。しかし、斯くするとこれを支える立て台も大型なものとなり、重量も相当に重いものを選択せざるを得ない問題がある。
そこで、従来は、のぼり旗竿の支持具として、コンクリートブロックよりなる立て台、あるいは肉厚な樹脂成形品からなる注水式立て台などが使用されている。
【特許文献１】特になし
【発明の開示】
【発明が解決しようとする課題】
【０００３】
しかしながら、前記した従来の支持具は、街頭に設置されるため、歩行者や、自転車、自動車等の走行に邪魔となり、危険度も高い上に、設置作業、搬送作業に不便で、しかも製造コストも高い問題がある。さらに、のぼり旗竿が重い場合、注水式立て台では、水の他に、砂や小石等を入れることも必要となるため、設置作業が煩雑となり、使い勝手が良くない問題もある。
【０００４】
本発明は、前記した従来の技術が有するこのような問題点を解消するためになされたもので、建築物等の取付面に対してワンタッチで脱着可能とすることで、歩行者や、自転車、自動車等の走行に邪魔することがない上に危険度も少なく、小型軽量にして使い勝手が良く、しかも製造コストも安価なのぼり旗竿の支持具を提供することを目的とする。
【課題を解決するための手段】
【０００５】
上記目的を達成するために、本発明に係るのぼり旗竿の支持具は、請求項１では、建築物等の取付面に対して固定可能な受け部材を備えたのぼり旗竿の支持具であって、受け部材先端に、のぼり旗竿が上下動自在に挿通し且つ正面に当該竿の出し入れ用の開口を有する挿通孔を形成し、該挿通孔の内壁下端にのぼり旗竿の伸縮調整固定部材用の係止突起を横設すると共に、挿通孔の開口両端に当該竿の抜け防止用の係止突起をそれぞれ縦設してなるホルダー部を設けたことを特徴とする。
【０００６】
請求項２は、受け部材先端の挿通孔を平面略Ｕ字形状に形成し、一方、のぼり旗竿の断面形状を前記平面状に対応するよう円筒両側にフラット部を形成することによってのぼり旗竿の廻り防止機構を設けてなることを特徴とする。
【０００７】
請求項３は、受け部材の基端に真空式吸着部材を設け、該受け部材を建築物等の取付面に吸着、固定可能に構成したことを特徴とする。
【発明の効果】
【０００８】
本発明は、以上のとおり構成されるのもであるから、請求項１によれば、いったん建築物等の取付面に対して受け部材を固定しておけば、当該受け部材正面の開口より挿通孔内へのぼり旗竿をその伸縮調整固定部材を上にして垂直状態で押し込み後、当該のぼり旗竿を押し下げることによって、挿通孔下端に横設された係止突起へ伸縮調整固定部材の下端が係止されると共に、挿通孔の開口端に対向、縦設された係止突起によって挿入されたのぼり旗竿の抜けが防止される。
【０００９】
したがって、本発明によれば、のぼり旗竿をその伸縮調整固定部材を利用して受け部材にワンタッチで取り付け、もしくは取り外すことが可能であり、作業性に極めて優れているものである。
【００１０】
また、請求項２によれば、受け部材先端の平面略Ｕ字形状の挿通孔と、のぼり旗竿の両側に形成した一対のフラット部とからなる当該竿の廻り防止機構を設けたため、のぼり旗が風圧等を受けても受け部材の挿通孔内で旗竿が回動することがない。
したがって、歩行者や自動車運転者等に予め見易いように設定されているのぼり旗が風や接触圧等で容易には取り付け中に見えにくい状態に回動、変換されることがないものである。
【００１１】
さらに、請求項３によれば、受け部材の基端に真空式吸着部材を設けてあるため、建築物等の取付面に対する受け部材の脱・着操作が容易であり、しかもいったん固定すると簡単に外れることがないものである。
【発明を実施するための最良の形態】
【００１２】
以下、本発明を実施するための最良の形態について図面を参照して詳細に説明する。
図１は、本発明に係るのぼり旗竿の支持具の使用状態を示す全体の説明図であり、図２は、同上支持具の使用状態を示す要部の拡大斜視図であり、図３は、同上支持具の平面図であり、図４は、図１のＡ−Ａ矢視拡大断面図であり、図５は、図４のＢ−Ｂ矢視断面図であり、図６は、のぼり旗竿と伸縮調整固定部材を示す分解斜視図である。
【００１３】
図１および図２において、Ａは建築物等の取付面ａに対して固定可能な支持具、Ｂは支持具Ａによって固定、保持されるのぼり旗竿をそれぞれ示す。
【００１４】
支持具Ａは、若干の弾性を有する硬質プラスチック製の受け部材１が主要部材として構成されている。
【００１５】
受け部材１は断面略矩形の腕杆１ａによって形成され、基端には建築物等の取付面１ａに対して吸着、固定可能な真空式吸着部材２が取り付けられている。
【００１６】
この真空式吸着部材２はポリウレタンなどのプラスチック材で形成された円形の弾性吸着盤２ａと、該弾性吸着盤２ａの正面開口部に配設された同形、腕型の支持板２ｂとを具備する。そして、前記腕杆１ａを支持板２ｂを貫通して弾性吸着盤２ａ中央に固着される不図示の連結軸を介して前記支持板２ｂの背面中央に約９０度倒立自在に支持させてある。
【００１７】
すなわち、支持板２ｂの背面で倒れている腕杆１ａを約９０度起立させると、腕杆１ａの基部が支持板２ｂの背面に接触し、不図示の連結軸を介して弾性吸着盤２ａの中央が上方へ引き上げられ吸着力が発生し、反対に腕杆１ａを約９０度倒すと、腕杆１ａの支持板２ｂに対する接触が外れることによって引き上げられていた弾性吸着盤２ａが元の位置まで下げられ吸着力が消滅するようになっている。
【００１８】
一方、前記受け部材１における腕杆１ａの先端には二又状ののぼり旗竿Ｂのホルダー部３が設けられている。
【００１９】
このホルダー部３は、のぼり旗竿Ｂが上下動自在に挿通し且つ正面に当該竿Ｂの出し入れ用の開口４を有する挿通孔５を形成し、該挿通孔５の内壁下端にのぼり旗竿Ｂの伸縮調整固定部材１１用の係止突起６を横設すると共に、挿通孔５の開口４両端に当該竿Ｂの抜け防止用の係止突起７をそれぞれ縦設することによって構成される。
【００２０】
而して、前記挿通孔５は基部を円弧部５ａ、両側対向部を平行部５ｂとすることで平面略Ｕ字形状に形成されている。したがって、のぼり旗竿Ｂの伸縮調整固定部材１１用の係止突起６の平面形状も前記と同じのぼり旗竿Ｂが上下動自在の平面略Ｕ字形状に形成される。
【００２１】
一方、のぼり旗竿Ｂは、表面を軟質合成樹脂材でコーティングしたスチールあるいは硬質合成樹脂製の２本の異径パイプ１２を伸縮調整固定部材１１を介して伸縮自在に接合した連結竿１３によって構成されている。
【００２２】
そして、この連結竿１３を構成する異径パイプ１２の断面形状は、受け部材１の略Ｕ字形の平面形状に対応するよう円筒両側にフラット部１２ａを形成したものとなっている。すなわち、異径パイプ１２の一方には受け部材１の挿通孔５の円弧部５ａに対応する円弧部１２ａ、他方には平行部５ｂに対応するフラット部１２ａをそれぞれ設けることによってのぼり旗竿Ｂの廻り防止機構１４（図４に示す）が設けられている。
【００２３】
前記伸縮調整固定部材１１は、連結竿１３における下側の異径パイプ１２上端に嵌合固定される支持筒１５と操作レバー１６とを具備する。そして、支持筒１５の上端前方には開放部１５ａが形成されると共に、開放部１５ａの両側には所定の間隔を置いて軸受部１５ｂが対向突設されている。
【００２４】
一方、操作レバー１６の基部には、中心に支持ピン１７を貫通突出した軸部１８が設けられ、該軸部１８の後方には押圧操作部１９が一体に突出して設けられている。
【００２５】
そして、前記操作レバー１６の軸部１８に貫通した支持ピン１７の両端を、支持筒１５の軸受部１５ｂに設けられた軸孔１５ｃに挿入することによって操作レバー１６は支持筒１５に軸孔１５ｃを支点として回動自在に軸結される。
【００２６】
操作レバー１６を図５に示す破線の位置に立ててあるときは、押圧操作部１９先端は上側の異径パイプ１２の外面から離間しており、上下の異径パイプ１２を伸縮操作して連結竿１３の長さを調整した後、操作レバー１６を図５に示す実線の位置まで倒したときは、押圧操作部１９が約９０度回動し、上側の異径パイプ１２の外面へ押圧接触し、上下の異径パイプ１２を調整した位置で固定するものとなっている。
【００２７】
さらに、のぼり旗竿Ｂの連結竿１３上端には支持板２０の基端が連結具２１によって横設、固定されており、この支持板２０と連結竿１３に複数のチチ２２を介してのぼり旗２３が取り付けられている。なお、図１において、２４はのぼり旗竿Ｂの支持用補助具である。
【００２８】
このように構成される支持具Ａおよびのぼり旗竿Ｂは以下のようにして使用される。
先ず、受け部材１基部の真空式吸盤部材２を建築物等の取付面ａの所定の位置に吸着、固定させておく。このとき、受け部材１の腕杆１ａは水平、腕杆１ａ先端の挿通孔５は垂直としてある。
【００２９】
一方、のぼり旗竿Ｂの連結竿１３の長さを異径パイプ１２を伸縮することによって調整し、伸縮調整固定部材１１の操作レバー１６を下方へ押し倒すことによって上下の異径パイプ１２をその位置に固定する。
【００３０】
次いで、このようにして長さが調整、固定された連結竿１３を垂直に立てた状態で伸縮調整固定部材１１の下方を受け部材１のホルダー部３へ保持させる。すなわち、連結竿１３の下側の異径パイプ１２を挿通孔５内へ正面の開口４より押し込みそのまま降下させると伸縮調整固定部材１１の支持筒１５の下端が挿通孔５の内周下端に横設された係止突起６に係止される。同時に挿通孔５の開口４の対向両端に縦設された係止突起７に係止されることで連結竿１３の抜けが防止されるものである。
【図面の簡単な説明】
【００３１】
【図１】本発明に係るのぼり旗竿の支持具の使用状態を示す全体の説明図である。
【図２】同上支持具の使用状態を示す要部の拡大斜視図である。
【図３】同上支持具の平面図である。
【図４】図１のＡ−Ａ矢視拡大断面図である。
【図５】図３のＢ−Ｂ矢視断面図である。
【図６】のぼり旗竿と伸縮調整固定部材とを示す分解斜視図である。
【符号の説明】
【００３２】
Ａ        支持具
Ｂ        のぼり旗竿
ａ        取付面
１        受け部材
１ａ      腕杆
２        吸着部材
３        ホルダー部
４        開口
５        挿通孔
６        係止突起
７        係止突起
１１      伸縮調整固定部材
１２      異径パイプ
１２ａ    フラット部
１３      連結竿
１４      廻り防止機構
【図１】
2005241684.tif 000003
【図２】
2005241684.tif 000004
【図３】
2005241684.tif 000005
【図４】
2005241684.tif 000006
【図５】
2005241684.tif 000007
【図６】
2005241684.tif 000008